(57)【特許請求の範囲】
【請求項１】
表面にスキン層を有し低発泡された中空の合成ゴムや、熱可塑性エラストマー、軟質合成樹脂からなる弾性中空体と、前記弾性中空体の中空部に挿入され圧接固定された中空状若しくは中実状の合成樹脂製又は木製等で形成された芯材と、を有するロッド部と、
筒部と、前記筒部の一端に凹凸状に切り込まれて形成されたゴム止部と、前記筒部の他端に前記ロッド部の端部を外嵌する外嵌部と、前記ゴム止部と前記外嵌部の間に壁状に形成され前記ロッド部の端部と密着する蓋部と、を備え、前記ロッド部の両端に備えられたキャップ部と、
を備えたことを特徴とするパーマネント用ロッド。
【請求項２】
前記合成ゴムが、ブタジエンゴム（ＢＲ），スチレン−ブタジエンゴム（ＳＢＲ），イソプレンゴム（ＩＲ），エチレン−プロピレンゴム（ＥＰＭ），プチルゴム（ＩＩＲ），クロロプレンゴム（ＣＲ），ニトリルゴム（ＮＢＲ），アクリルゴム（ＡＣＭ，ＡＮＭ），ウレタンゴム（Ｕ），シリコーンゴム（Ｑ），ふっ素ゴム（ＦＰＭ），加硫ゴム，ポリエーテルゴム（ＰＯＲ，ＣＨＲ，ＣＨＣ），クロロスルホン化ポリエチレン（ＣＳＭ），ポリエピクロロヒドリンのいずれか１種以上、若しくはこれらとフィラーとの複合物であることを特徴とする請求項１に記載のパーマネント用ロッド。
【請求項３】
前記熱可塑性エラストマーが、ステレオブロックポリプロピレン，１，２−ポリブタジエン，イオンクラスターを有するポリオレフィンなどのアイオノマー，ポリスチレン系やポリウレンタン系，オレフィン系（ＴＰＯ），ポリエステル系，ポリアミド系などの硬質連鎖熱可塑性を有するブロック重合体，ポリエチレン系やふっ素樹脂系などのグラフト重合体，ニトリルゴム−ポリ塩化ビニル系共重合体，動的加硫型熱可塑エラストマー（ＴＰＶ）の１種以上又はこれらと前記フィラーとの複合物で形成されていることを特徴とする請求項１又は２に記載のパーマネント用ロッド。
【請求項４】
前記キャップ部が、前記筒部の表面に形成された凹凸部や小孔等からなる指先滑り止部、及び／又は、前記外嵌部の内壁に立設され前記弾性中空体に切り込み固定する１以上のフィン部を備えていることを特徴とする請求項１乃至３の内いずれか１項に記載のパーマネント用ロッド。
【請求項５】
前記弾性中空体のスキン層が２μｍ〜１０００μｍ、好ましくは２０μｍ〜８００μｍ、より好ましくは５０μｍ〜５００μｍの厚みを有していることを特徴とする請求項１乃至４の内いずれか１項に記載のパーマネント用ロッド。
【請求項６】
前記弾性中空体の発泡倍率が、１．５〜５倍、好ましくは１．８〜３．５倍で発泡され、かつ独立気泡で形成され、ショア硬度が２０°〜８０°、好ましくは２０°〜５５°であることを特徴とする請求項１乃至５の内いずれか１項に記載のパーマネント用ロッド。
【請求項７】
前記芯材がポリエチレンやポリプロピレン、ポリスチレン等のポリオレフィン、又は、ポリオレフィン系共重合体で形成された管状体又は棒状体からなり、その外径が、前記ロッド部の断面径の５／７〜１／５、好ましくは２／３〜１／４に形成され、かつ前記芯材の外径が前記弾性中空体の前記中空部の内径よりも１．５〜２５％好ましくは２〜２０％大きく形成されていることを特徴とする請求項１乃至６の内いずれか１項に記載のパーマネント用ロッド。
【請求項８】
前記蓋部の外嵌部側の中央に凸状に形成され前記芯材の端部を内嵌又は外嵌して嵌合される突部を有し、前記芯材がポリエチレンやポリプロピレン、ポリスチレン等のポリオレフィン、又は、ポリオレフィン系共重合体で形成された管状体又は棒状体からなり、その外径が前記ロッド部の断面径の５／７〜１／５、好ましくは２／３〜１／４に形成され、かつ前記芯材の外径が前記弾性中空体の前記中空部の内径の０．５倍〜１．１倍好ましくは０．８倍〜１．０５倍に形成されていることを特徴とする請求項１乃至６の内いずれか１項に記載のパーマネント用ロッド。
【請求項９】
前記キャップ部が、前記蓋部の外周壁にローレット切りや凹凸部等で形成された滑り防止部と、及び／又は、前記ゴム止部と前記蓋部の間のキャップ部壁の対称位置に穿設されたシングルピンやアメリカピン等のピンの挿入孔を備えていることを特徴とする請求項１乃至８の内いずれか１項に記載のパーマネント用ロッド。
【請求項１０】
前記弾性中空体の外表面に長さ方向に平行に切り込まれて形成された凹部を備えていることを特徴とする請求項１乃至９の内いずれか１項に記載のパーマネント用ロッド。
【発明の詳細な説明】
【０００１】
【発明の属する技術分野】
本発明はパーマネント用ロッドに関し、更に詳しくは軽量で頭髪の巻付け保持や水洗時の作業性に優れるとともにお客（被施術者）の頭髪や頭皮を傷めることがなく、また施術者の手を傷めることのない安全性に優れた美容室や理容室で施術される横ウェーブや縦ウェーブの形成に効果的なパーマネント用ロッドに関する。
【０００２】
【従来の技術】
従来、美容室や理容室で横ウェーブや縦ウェーブ等のパーマネントウェーブが施術されている。
パーマネントウェーブの形成に当たって、種々のパーマネント用ロッドが利用されている。例えば、
ａ．特開昭５７−５５１０３号公報（以下、イ号公報という。）には「ポリプロピレンやナイロン等の硬質の管状物の表面にシリコンゴム等の外部スリーブを備えたパーマネント用ロッド」が開示されている。
ｂ．特開平９−２８４４５号公報（以下、ロ号公報という。）には、「熱可塑性エラストマーで、中空の円筒状のロッドを形成したコールドパーマネント用毛巻ロッド」が開示されている。
ｃ．実開平２−４５０２号公報（以下、ハ号公報という。）には、「可塑性のある金属線（アルミニウム等）よりなる保形芯線が弾性を有する発泡合成樹脂材により露出することなく覆われてロッド形状とされていると共に前記芯線と発泡合成樹脂材とが密着して形成されたパーマネント用のヘアーカーラー」が開示されている。
【０００３】
【発明が解決しようとする課題】
しかしながら上記従来のパーマネント用ロッドは、以下の課題を有していた。イ号公報のパーマネント用ロッドは、シリコンゴム等で形成された外部スリーブの厚さが０．１２７ｍｍ〜０．７２６ｍｍの超薄肉で管状物の外周に挿着されているため、外部スリーブが劣化したりキズがつくことにより管状物との間に隙間が出来易く、この隙間にコールドウェーブローションの溶液などが入り込み、外部スリーブが捩じれたり滑ったりして管状物とずれが生じるので、均一なウェーブが作り難く施術性に欠けるという問題点を有していた。
また、外部スリーブを管状物に挿入するため管状物と圧着出来難く、更に外部スリーブが薄肉なので巻き付けられる頭髪に均一な反発力を返すことができず、均一なウェーブの形成が困難という問題点を有していた。
【０００４】
ロ号公報のコールドパーマネント用毛巻ロッドは、熱可塑性エラストマーで中空の円筒状に形成されているので、施術者が毛巻き作業時にロッドの中央がへこんだりして毛巻作業の作業性に欠けるという問題点を有していた。
更に、熱可塑性エラストマーだけで形成されているので、表面が滑り易く毛束の巻き付け作業の作業性に欠け、この欠点を解消するために、表面をなし地又は微小な半球状の突起（公報第３項第３欄第１４行乃至第４２行）を形成する必要があり、これらの加工がサンドブラストや電弧処理等の加工方法で行わねばならず、多くの作業工数と作業時間を要し生産性や省力性に欠け原価を上げるという問題点を有していた。
また、表面をなし地加工したり、表面に微小な突起を設けた場合、表面全体の静摩擦係数が著しく低下し、表面が滑り易くなるとともに、頭髪を巻き付けた際に反発力が極めて小さいので、頭髪の束を薄くせねばならず、更に巻き付ける頭髪の長さが該ロッドの外円周の１．５倍以上（１巻半以上）ないと該ロッド部から外れてしまい施術作業の作業性に欠けるとともに、短い頭髪は施術し難いという問題点を有していた。
【０００５】
更に、表面をなし地加工したり、微小な突起を設けた場合、パーマ液で毛髪を軟化（膨潤）させた際、ロッド表面のなし地等のザラツキが巻き付けた毛髪の毛先に影響し、施術後も毛先にザラツキが発生し切れ易くなるという問題点を有していた。
更に頭髪の毛束を薄くとる場合は径の細い該ロッドを数多く巻かねばならないので施術作業が煩雑で作業効率が悪い上、多大の作業時間を費やしてしまうとともに、被施術者（お客様）に不快感を与え時間を浪費するという問題点を有していた。
ロッド端部に力が加わるとロッドが変形し、頭髪を巻き付け難くなりパーマネントウェーブの仕上がり性に欠けるとともに作業に長時間を要し作業性に欠けるという問題点を有していた。
【０００６】
ロッドの内部が中空の円筒状に形成されているので、作業中や搬送時に床に落とし踏みつけた場合にロッドが変形し再使用ができず耐久性に欠けるという問題点を有していた。
射出成形で形成するので、金型毎に単一の長さのロッドしか得られず、汎用性に欠けるという問題点を有していた。
熱可塑性エラストマー単体で形成されているので弾性が低く、巻き付ける頭髪の毛束が厚い場合や硬い髪、短い髪の場合、巻き付け作業が困難で作業性に欠けるという問題点を有していた。
頭髪にパーマネント液を付けずに巻く水巻き等の場合、頭髪が膨潤、軟化しないので硬く、硬い毛やバージン毛、短い髪等は頭髪が巻き付けた状態から元に戻る戻り現象が生じ、その分巻き付けた状態から頭髪の形状が大きくなり、目的とするパーマネントウェーブより大きくなってしまい、パーマネントの仕上がり性に欠けるという問題点を有していた。
【０００７】
また、ハ号公報に掲載されたパーマネント用のヘアーカーラーは、該ロッド部を曲げると、元の状態に戻らず、何度も曲げたり伸ばしたりを繰り返すので金属疲労で金属線が折れ耐久性に欠けるという問題点を有していた。
また合成樹脂を単に高発泡させただけでゴム弾性を有しない、例えば発泡ポリエチレン等の発泡合成樹脂は反発力が極めて弱いため、頭髪の束を巻き付ける力の強弱によって、不均一なウェーブになり易く施術が困難で熟練を要すという問題点を有していた。
更に、発泡合成樹脂の表面の発泡セルが作業中のパーマネント液や洗剤で劣化し表面に凹凸ができ、施術中に頭髪が引っかかり作業性を著しく損なうとともに、乾燥中に紫外線により劣化したりして著しく耐久性に欠けるという問題点を有していた。
【０００８】
本発明は上記従来の課題を解決するもので、ロッド部に施術者がパーマネントを施術するのに最適な弾性と硬度を有し、更に、組立構造体なので、ロッドの長さを長くも短くも設計でき各種の施術に応じることが可能で汎用性に優れるとともに、施術中に頭髪がロッド部に巻き付け易く毛先まで巻き付けても頭髪が逃げることがなく、施術時の作業性に著しく優れ、また、パーマネント液や洗浄液がロッド部中に含浸されないので軽量で耐久性に優れるとともに複雑な構造を有しない生産性に優れたパーマネント用ロッドを提供することを目的とする。
【０００９】
【課題を解決するための手段】
本発明の請求項１に記載のパーマネント用ロッドは、表面にスキン層を有し低発泡された中空の合成ゴムや、熱可塑性エラストマー、軟質合成樹脂からなる弾性中空体と、前記弾性中空体の中空部に挿入され圧接固定された中空状若しくは中実状の合成樹脂製又は木製等で形成された芯材と、を有するロッド部と、筒部と、前記筒部の一端に凹凸状に切り込まれて形成されたゴム止部と、前記筒部の他端に前記ロッド部の端部を外嵌する外嵌部と、前記ゴム止部と前記外嵌部の間に壁状に形成され前記ロッド部の端部と密着する蓋部と、を備え、前記ロッド部の両端に備えられたキャップ部と、を備えた構成を有している。
【００１０】
これにより、ロッド部の表面にスキン層を有するので、パーマネント液や洗浄液がロッド内部に浸入するのを防止でき、施術中にパーマネント液でパーマネント用ロッドが重くなり被施術者の毛元を傷めるのを防止できる。また、洗浄水がロッド部の内部に浸入しないので施術終了後、パーマネント用ロッドを洗浄するだけでアカやフケ，洗浄液を洗い落とすことができるとともに、風乾により簡単に乾くので、パーマネント用ロッドの回転率を高めることがき、その分パーマネント用ロッドのストックを少なく済ますことができるという作用を有する。
キャップ部をロッド部の両端に備えているので、ロッド部の両端がつぶれたりねじれたりすることを防ぐので施術作業の作業性を向上させるという作用を有する。
キャップ部の蓋部がロッド部の低発泡した弾性中空体や芯材特に中空の芯材の端部を密閉するので、パーマネント液や洗浄液がロッド部内に浸入し、ロッド部が含水するのを防止するので軽量化を維持することができるとともに、フケ等を含有した洗浄液がロッド部内に入らないので、衛生性や安全性を向上させることができるという作用を有する。
パーマネント用ロッドが低発泡の軟質合成樹脂や合成ゴム、熱可塑性エラストマー等からなる弾性中空体と中空の芯材で形成されている場合は軽量で、被施術者の頭部に多くのパーマネント用ロッドを施しても頭が重くなるのを防止できる。また、毛元まで巻き付けても重量感等の違和感を与えるのを防ぐことができるという作用を有する。
ロッド部が弾性中空体で形成されているので、適度な弾性と表面のフィット感が得られ、指先に適度な滑り止め効果を発揮するとともに、パーマネント用ロッドが毛髪に自然に柔らかくフィットして、容易に毛髪をパーマネント用ロッドに巻き付けることが可能であるという作用を有する。
ロッド部や芯材の長さや形状、あるいは径の大きさを変えることにより、各種大きさ、形状を有するパーマネント用ロッドが適宜得られ、画一的でなく、汎用性に優れるという作用を有する。
また、パーマネント用ロッドが毛髪に接触しても切れ毛や抜け毛を生じることがなく、毛髪の損傷を防止するという作用を有する。
ロッド部が弾性中空体で形成されているので、落下させても破損しにくく耐久性に優れるという作用を有する。
更に、構造が簡易であるため、製造コストの低減を図ることができ、経済性に優れる。
【００１１】
ロッド部が低発泡の弾性中空体でかつ厚みを有しているので頭髪を巻き始めると同時に頭髪の毛束をとらえることが出来、なおかつ厚みとやわらかさがある為、巻き付けた頭髪の毛束に対し反発力が強く生じ径の大きなパーマネント用ロッドでも毛先からしっかりしたウェーブ（カール）を作ることが出来、施術性を著しく向上させるという作用を有する。
ロッド部が低発泡の弾性中空体なので、頭髪を引っ張った力がロッド部で吸収されるので、お客様の毛根や地肌に負担を与えるのを防ぎ、負担を与えないことで地肌に炎症を起こすこともなく、安全性を高めるという作用を有する。
頭髪の毛束を厚く取っても毛束を巻き始めると同時に大きな静摩擦抵抗が得られるとともに、内部の芯材による圧迫力で強い反発力が得られ、この反発力でロッド部に毛束を容易にとらえることが出来、非常に巻き付けやすくし、頭に巻くカーラーロッドの使用本数が少なくて済むという作用を有する。
ロッド部に芯材が挿着されているので、パーマネント用ロッドが折れ曲がったり中央部がへこんだりすることなく、均一の弾性と硬度を有しているので、施術者は安心して頭髪を巻き付けることができるという作用を有する。
また、パーマネント用ロッドが弾性を有しているので、該ロッドを毛元まで巻き付けて輪ゴムで該ロッドに固定しても地肌を痛めず、更に被施術者に痛感を与えるのを防ぐという作用を有する。
【００１２】
キャップ部としては、筒状に形成され一端に凹凸状に加工されたゴム止部を有し、中央にはロッド部の端部と密着する蓋部を有し、他端にはロッド部の端部を密着外嵌する外嵌部と、を備えたものが使用される。これによりロッド部の端部からパーマネント液や洗浄液がロッド部内に浸入するのを防止することができる。尚、外嵌部は外側に向けて拡開されたテーパ状に形成し、かつ蓋部や外嵌部内壁とロッド部の端部やキャップ部の突部と芯材を更に接着剤で固定するとロッド部内部と、その両端部がより硬化するので、頭髪をロッド部に巻き付ける際のロッド部両端の表層部のねじれを防止出来、より完全に頭髪の毛束を巻き付けやすくすることができるという作用を有する。
更に、頭髪の毛束をロッド部に巻き付けていく場合、ドライバーでネジを巻いていく様にして頭髪の毛束を引っ張りながら右左のキャップ部とロッド部両端表面を指先で巻いていくので両端のキャップ部に指先の力が働くので本体部両端がつぶれたり表層部がねじれるのを防ぐことができるという作用を有する。
【００１３】
前記従来のパーマネント用ロッドでは、ロッド部の両端の表層部がねじれると指先の力が加わらないので非常に巻きづらく、その分無理な力が毛束にかかってしまい、均一なパーマネントウェーブが得られなかったが、この構成によりこの問題点を解消することができる。
ロッド部の表面になし地加工等をしていないのでザラツキがなく、施術後も毛先にザラツキが発生せず、キューティクルを損なうことなくしなやかな光沢感のあるパーマにすることができるいう作用を有する。
ロッド部やキャップ部、芯材を各々別異に製作し、組み立てるので、各種長さを有するパーマネント用ロッドが得られ、画一的でなく汎用性に優れるという作用を有する。
ここで、弾性中空体の軟質合成樹脂としては、リニアローデンシティポリエチレン（Ｌ−ＬＤＰＥ）、ポリウレタン、シリコン樹脂、塩化ビニリデン樹脂等が用いられる。
尚、リニアローデンシティポリエチレンを用いた場合は機械的強度に優れた軽量のパーマネント用ロッドを得ることができるので好ましい。
キャップ部としては、ポリエチレンやポリプロピレン、リニアローデンシティポリエチレン、塩化ビニル樹脂、塩化ビニリデン樹脂、ポリアミド、ポリエステル等の合成樹脂又はこれらと他の合成樹脂もしくは充填剤とからなる樹脂組成物を射出成形したものが用いられる。
芯材の形状は、断面が円形や三角，四角等の多角形状に形成してもよい。円形状の場合は耐圧縮性に優れており、また、多角形状の場合は弾性中空体の中空部に挿入する際に、中空部の内壁との接触面積が少ないので、挿入作業の作業性を向上させることができる。
【００１４】
本発明の請求項２に記載のパーマネント用ロッドは、請求項１において、前記合成ゴムが、ブタジエンゴム（ＢＲ），スチレン−ブタジエンゴム（ＳＢＲ），イソプレンゴム（ＩＲ），エチレン−プロピレンゴム（ＥＰＭ），プチルゴム（ＩＩＲ），クロロプレンゴム（ＣＲ），ニトリルゴム（ＮＢＲ），アクリルゴム（ＡＣＭ，ＡＮＭ），ウレタンゴム（Ｕ），シリコーンゴム（Ｑ），ふっ素ゴム（ＦＰＭ），加硫ゴム，ポリエーテルゴム（ＰＯＲ，ＣＨＲ，ＣＨＣ），クロロスルホン化ポリエチレン（ＣＳＭ），ポリエピクロロヒドリンのいずれか１種以上、若しくはこれらとフィラーとの複合物である構成を有している。
【００１５】
これにより、請求項１で得られる作用の他、ロッド部の合成ゴムによる弾性と、芯材により内側から合成ゴムを圧迫する反発力による圧縮力により厚い毛束や短い髪、硬い髪にもロッド部の中央部がたわんだりすることなく均一に巻き付けることができるという作用を有する。
中央部の芯材と発泡セルにより適度の剛性を有しているので頭髪がロッド部になじみ目的のパーマネントウェーブに仕上げることができるという作用を有する。
ここで、フィラーとしては木粉、レーヨン等の有機繊維、マイカ、シリカ、炭酸カルシウム、クレー、グラファイト、カーボンブラック、ポリスチレンやポリメチルメタアクリレート等の樹脂微粉末等を用いることが出来る。これらを添加することにより機械的強度の向上や増量効果、成形収縮率の低下等を図ることができる。
【００１６】
本発明の請求項３に記載のパーマネント用ロッドは、請求項１又は２において、前記熱可塑性エラストマーが、ステレオブロックポリプロピレン，１，２−ポリブタジエン，イオンクラスターを有するポリオレフィンなどのアイオノマー，ポリスチレン系やポリウレンタン系，オレフィン系（ＴＰＯ），ポリエステル系，ポリアミド系などの硬質連鎖熱可塑性を有するブロック重合体，ポリエチレン系やふっ素樹脂系などのグラフト重合体，ニトリルゴム−ポリ塩化ビニル系共重合体，動的加硫型熱可塑エラストマー（ＴＰＶ）の１種以上又はこれらと前記フィラーとの複合物で形成されている構成を有している。
【００１７】
これにより、請求項１又は２で得られる作用の他、熱可塑性エラストマーが機械的強度と耐薬品性に優れているので、耐久性に優れるという作用を有する。
ロッド部が低発泡の熱可塑性エラストマーなので、施術の際、頭髪を引っ張った力がロッド部で吸収されるので、お客様の毛根や地肌に負担を与えるのを防ぎ、負担を与えないことで地肌に炎症を起こすこともなく、安全性を高めるという作用を有する。
パーマネント用ロッドが低発泡の熱可塑性エラストマーと中空の芯材で形成されている場合は軽量で、被施術者の頭部に多くのパーマネント用ロッドを施しても頭が重くなるのを防止できる。また、毛元まで巻き付けても重量感等の違和感を与えるのを防ぐことができるという作用を有する。
【００１８】
本発明の請求項４に記載のパーマネント用ロッドは、請求項１乃至３の内いずれか１項において、前記キャップ部が、前記筒部の表面に形成された凹凸部や小孔等からなる指先滑り止部、及び／又は、前記外嵌部の内壁に立設され前記ロッド部の前記弾性中空体に切り込み固定する１以上のフィン部を備えている構成を有している。
【００１９】
これにより、キャップ部の外嵌部内部にフィン部を備えているためキャップ部とロッド部を強固に結合し一体化させ、ロッド部とキャップ部との間の滑りを防止できるという作用を有する。
ここで、キャップ部の蓋部のロッド部側の中央に１／２の長さに形成した芯材を立設してもよい。キャップ部をロッド部に嵌合させるだけで芯材の挿着を終えることができ生産性を向上できるためである。
【００２０】
本発明の請求項５に記載のパーマネント用ロッドは、請求項１乃至４の内いずれか１項において、前記弾性中空体のスキン層が２μｍ〜１０００μｍ、好ましくは２０μｍ〜８００μｍ、より好ましくは５０μｍ〜５００μｍの厚みを有している構成を有している。
【００２１】
これにより、所定厚さのスキン層を有するのでロッド部の表面が滑らかで、頭髪からパーマネント用ロッドを巻き戻す際に頭髪を引っかけたりして切断することなく、スムーズに巻き戻し作業を行うことができるとともに、被施術者（お客様）に施術中の頭髪の切断や抜け毛による苦痛を与えるのを防ぐという作用を有する。
また、スキン層の表面には成形時の収縮による微細な縦皺が形成されるので、この縦皺により頭髪のキューティクルがひっかかるので頭髪の巻き付け易さを向上させ作業性を高めるという作用を有する。
ここで、弾性中空体の種類にもよるが、スキン層の厚みが５０μｍよりも小さくなるにつれ、スキン層が傷ついた場合にパーマネント液やフケ等の汚物を含有した洗浄液が発泡層に含浸残留し衛生性に欠け、更に耐久性に欠ける傾向が現れやすく、また、５００μｍよりも大きくなるにつれ、硬度が強くなりすぎ作業性に欠け易いという傾向が現れやすいので、いずれも好ましくない。特にスキン層の厚みが２μｍ未満若しくは１０００μｍよりも大きくなるとこの傾向が著しいので好ましくない。
尚、スキン層は２層押出成形で形成してもよい。２層押出成形することによりスキン層の厚みや発泡倍率を所定値に調整できる。
【００２２】
本発明の請求項６に記載のパーマネント用ロッドは、請求項１乃至５の内いずれか１項において、前記弾性中空体の発泡倍率が、１．５〜５倍、好ましくは１．８〜３．５倍で発泡され、かつ独立気泡で形成され、ショア硬度が２０°〜８０°、好ましくは２０°〜５５°である構成を有している。
【００２３】
これにより、施術に当たって最適の弾力性をロッド部に与えることができ、施術中の頭髪の巻き付け作業の作業性を向上できるという作用を有する。
また、発泡セルが独立気泡なので、万一スキン層が頭髪で切れて破損してもパーマネント液や汚染された洗浄液がロッド部中に浸入するのを防ぎ耐久性を向上できるという作用を有する。
ショア硬度が２０°〜８０°、好ましくは２０°〜５５°なので巻き付けた頭髪に適度の反発力を与え、ロッド部に頭髪を巻き付けて固定し易く、その結果所望するカールやヘアーウェーブに容易に仕上げることができるという作用を有する。
ここで、発泡倍率が、１．８倍よりも小さくなるにつれショア硬度が上がりすぎる傾向があり、弾性中空体の中空部の内径が芯材の外径よりも小さいと、芯材を中空部に挿入し難く生産性を低下させるとともに、ロッド部の重量が重くなる傾向があるので好ましくなく、また、３．５倍よりも大きくなるにつれショア硬度が下がり、ロッド部が柔らかくなりすぎ頭髪を巻き付けた際、ロッド部がつぶれたりねじれたりして変形し易く巻き付け作業の作業性を低下させるとともに、パーマネントウェーブの仕上がり性を害する傾向があるので、いずれも好ましくない。特に、１．５倍未満若しくは５倍を越えるとこの傾向が著しいので好ましくない。
【００２４】
本発明の請求項７に記載のパーマネント用ロッドは、請求項１乃至６の内いずれか１項において、前記芯材がポリエチレンやポリプロピレン、ポリスチレン等のポリオレフィン系の管状体又は棒状体からなり、その外径が、前記ロッド部の断面径の５／７〜１／５、好ましくは２／３〜１／４に形成され、かつ前記芯材の外径が前記弾性中空体の前記中空部の内径よりも１．５〜２５％好ましくは２〜２０％大きく形成されている構成を有している。
【００２５】
これにより、芯材が中空部に挿着されているので、耐剪断応力に優れるとともに、施術中にロッド部がねじれたり中央部でへこんだりするのを防ぐという作用を有する。
また、芯材の管状体の断面径がロッドの断面径の５／７〜１／５好ましくは２／３〜１／４に形成されているので、ロッド部の弾性中空体に芯材が内部から圧迫力を与え、スキン層と相まって施術時の最適の硬度と静摩擦抵抗を得ることができるという作用を有する。
芯材の外径がロッド部の弾性中空体の中空部の径よりも１．５〜２５％好ましくは２〜２０％大きく形成されているので、弾性中空体に芯材を挿着するだけで、芯材が弾性中空体に固定でき、少ない工数でかつ接着剤を要しないので低原価で生産できるという作用を有する。２〜２０％大きく形成することにより適度の弾性及び反発力と生産性を高めることができる。
特に、芯材としてポリエチレンやポリプロピレンの中空管状物を用いた場合は、芯材の比重が１以下なので軽く、洗浄時にその浮力により水に浮いて作業性を向上させるとともに、また被施術者（お客様）の頭皮に負担を与えるのを防ぐことができるという作用を有する。
【００２６】
ここで、芯材の中空管状体の外径がロッド部の断面径の２／３よりも大きくなるにつれ、ロッド部が硬くなるとともに、弾性中空体の肉厚が薄くなり反発力を弱めるので好ましくなく、また、１／４よりも小さくなるにつれロッド部の弾力性が強くなりすぎる傾向があり、管状体の断面径がロッドの断面径の５／７〜１／５を越えるとこれらの傾向が著しいので好ましくない。
また、芯材は２等分し、ロッド部の両端から各々を挿入してもよい。生産性を高めるためである。
尚、芯材挿着後の熱可塑性エラストマー等の弾性中空体の厚みは２〜５ｍｍ好ましくは２〜３．５ｍｍに形成される。これにより弾性中空体が内部から圧縮されロッド部に頭髪の毛束を巻き付けた際に適度の反発力を得ることが出来頭髪を巻き付け易くすることができるという作用を有する。
【００２７】
本発明の請求項８に記載のパーマネント用ロッドは、請求項１乃至６の内いずれか１項において、前記蓋部の外嵌部側の中央に凸状に形成され前記芯材の端部を内嵌又は外嵌して嵌合される突部を有し、前記芯材がポリエチレンやポリプロピレン、ポリスチレン等のポリオレフィン、又は、ポリオレフィン系共重合体で形成された管状体又は棒状体からなり、その外径が、前記ロッド部の断面径の５／７〜１／５、好ましくは２／３〜１／４に形成され、かつ前記弾性中空体の前記中空部の内径の０．５倍〜１．１倍好ましくは０．８倍〜１．０５倍に形成されている構成を有している。
【００２８】
これにより、キャップ部の蓋部に芯材を嵌合する突部を有するので、チャップ部とロッド部の一体化を強固に結合し、ロッド部とキャップ部との滑りを防止することができるという作用を有する。
よって、ロッド部の端部からパーマネント液や洗浄液がロッド部内に浸入し、ロッド部が含水するのを防止することができ、軽量化を維持できるとともに、衛生性や安全性を向上させることができるという作用を有する。
また、巻き付け作業中ロッド部に大きな力が加わっても、キャップ部やロッド部が回転したり、あるいはキャップ部がロッド部から外れることがなく、強度に極めて優れるという作用を有する。
キャップ部内の突部に芯材を外嵌又は内嵌で嵌合することにより、キャップ部と芯材との一体化が強固になり耐久性を向上させるという作用を有する。
ここで、突部は嵌合部側が開口した中空状又は中実状に形成される。また、突部の頂部はキャップ部のロッド部への嵌合側端部より２〜３ｍｍ短く形成されるのがよい。芯材が弾性中空体の内径より大きく形成されているので、突部の頂部を２〜３ｍｍ短く形成することにより、キャップ部のロッド部への嵌着性を向上させることができる。
キャップ部のロッド部の嵌合側は開口端部より内側に向けて肉厚が増すように傾斜壁に形成した場合、これによりキャップ部とロッド部の嵌合作業が楽になり生産性を高めることができる。
芯材の外径が弾性中空体の中空部の内径の０．８倍よりも小さくなると弾性中空体が施術中に変形し易くなるという傾向が現れだし、１．０５倍よりも大きくなると弾性中空体の外径が太くなりカールやウェーブの形成力を低下させ易くなる傾向が現れるので、いずれも好ましくない。
【００２９】
本発明の請求項９に記載のパーマネント用ロッドは、請求項１乃至８の内いずれか１項において、前記キャップ部が、前記蓋部の外周壁にローレット切りや凹凸部等で形成された滑り防止部と、及び／又は、前記ゴム止部と前記蓋部の間のキャップ部壁の対称位置に穿設されたシングルピンやアメリカピン等のピンの挿入孔を備えている構成を有している。
【００３０】
これにより、キャップ部にローレット切り等の滑り防止部や外嵌部に凹部を有しているので、施術中に指が滑るのを防ぎ施術時の作業性を著しく向上させることができるという作用を有する。
キャップ部のキャップ蓋部とゴム止部の間にシングルピン等のピンの挿入孔を備えているので、毛束を巻いたパーマネント用ロッドの挿入孔間にシングルピンを挿し込むことによりパーマネント用ロッドを頭部の地肌に対し直角状にパーマネント用ロッドを立てることができる。その結果、従来のパーマネント用ロッドはスパイラルカールが不可能であったが、一つのパーマネント用ロッドで挿入孔にシングルピンを挿着するだけでスパイラルカールを行うことができるという作用を有する。
ここで、ピンの挿入孔は対称位置に２〜８個所形成される。また、外嵌部の外表面に凹凸状や凹状の滑り防止部を形成してもよい。これにより施術時の指の滑りが防止でき、施術時の作業性を著しく向上させることができるという作用を有する。
【００３１】
本発明の請求項１０に記載のパーマネント用ロッドは、請求項１乃至９の内いずれか１項において、前記弾性中空体の外表面に長さ方向に平行に切り込まれて形成された凹部と、を備えている構成を有している。
【００３２】
これにより、弾性中空体の外表面の凹部が滑り止め効果を発揮し、毛髪の巻き付け作業性を向上させることができる作用を有する。
凹部にパーマネント液が留まり、パーマネント液の毛髪への浸透・定着を高めることができ、均一なパーマネントウェーブの形成が可能となる作用を有する。ここで、凹部は２本〜１８本、好ましくは４本〜１２本形成される。４本より少なくなると、凹部による定着性効果が小さい傾向があり、また１２本以上形成されるにつれ、弾性中空体の材質にもよるがスキン層の効果が減殺される傾向が認められ、２本未満もしくは１８本を越えるとこの傾向は著しいので好ましくない。また、凹部の深さは３０μｍ〜１０００μｍ好ましくは８０μｍ〜８００μｍに形成される。８０μｍよりも浅くなるにつれ、滑り止め効果が減退する傾向が現れだし、８００μｍよりも深くなるにつれ、スキン層の強度が弱くなるという傾向が認められるので好ましくない。
【００３３】
【発明の実施の形態】
（実施の形態１）
図１は本発明の実施の形態１におけるパーマネント用ロッドの斜視図であり、図２（ａ）は図１のＡ−Ａ線の断面図であり、図２（ｂ）は図１のＢ−Ｂ線の断面図である。
図１において、１は本発明の実施の形態１のパーマネント用ロッド、２はパーマネント用ロッド１の両端部に接着剤等で固定されたキャップ部、３はキャップ部２の円筒部の中間部に形成されたキャップ部の蓋部、４はキャップ部２の一端部に凹凸状に形成された輪ゴム等を止めるゴム止め部、５は内壁が開口部側で拡開した傾斜壁で形成されロッド部の端部を密着外嵌する外嵌部、６はパーマネント用ロッド１のロッド部である。
【００３４】
図２（ａ）（ｂ）において、７は略中空円筒状や六角形、八角形等の筒状に形成されたポリオレフィン系熱可塑性エラストマー（ＴＰＯ）やポリプロピレン−ＥＰＤＭ系の動的加硫型熱可塑エラストマー（ＴＰＶ）、合成ゴムで発泡倍率が１．８〜３．５倍に押出成形されたロッド部６の弾性中空体、８は弾性中空体７の表面に形成された厚さが５０μｍ〜５００μｍのスキン層、９は弾性中空体７の断面中央に形成された中空部に挿着固定されたポリエチレンやポリプロピレン，ポリスチレン等のポリオレフィン，ＰＥＴ等のポリエステル，ポリアミド等の熱可塑性合成樹脂で形成された断面が円形状の管状体からなる芯材である。
ここで、芯材９はロッド部６の弾性中空体７の中空部の径よりも１．５〜２５％大きくかつロッド部６の断面径の２／３〜１／４に形成されている。
尚、弾性中空体としては、他の合成ゴムや軟質合成樹脂でもよい。また、発泡倍率も１．５〜５倍、スキン層の厚みも５０〜５００μｍに形成してもよい。
【００３５】
以上のように構成された本発明の実施の形態１のパーマネント用ロッドを用いて、以下そのパーマネントの施術方法について図面を用いて説明する。
図３はパーマネント用ロッドの使用状態を示す状態図であり、図４はパーマネント用ロッドの巻き付け時の状態図である。
図中、１０は和紙等からなるパーマネント用ペーパー、１１は頭髪の毛束、１１ａは毛元、１２は両端部のキャップ部２のゴム止め部４に巻き回して係止された輪ゴムである。
【００３６】
次に、施術方法について説明する。
（１）頭髪を施術しやすいように必要な大きさに区分けする。
（２）区分け毎に第１パーマネント液（チオグリコール酸アンモニウム等のアルカリ剤）を頭髪の必要な部位に塗布する。
（３）次いで、適量の毛束１１を分け取り、この分け取った毛束１１を、該頭髪の乱れを防止し、作業能率の向上を期すために薄手のパーマネント用ペーパー１０を用いてパーマネント用ロッド１に巻き付けた後、輪ゴム１２を両端のゴム止め部４に止め、ゆるみを防止する。
（４）頭部全体にパーマネント用ロッド１を巻き終わった時点で第１パーマネント液を更にもう一度塗布する。
（５）被施術者の頭部にキャップをかぶせ、薬液が頭髪に充分に作用する時間を見計らい、設定する。
（６）時間の経過により、頭髪に薬液が作用している状態をチェックする。
（７）頭髪に付着する第１パーマネント液を微温湯で流す。（中間リンス）
（８）テストカールの結果、薬液の作用が不十分なときは再度キャップをかぶせ、時間を設定する。また薬液の作用が十分な場合は第２パーマネント液（酸化剤：プロム酸カリウムやプロム酸ナトリウム、過酸化水素水等の中和液）をパーマネント用ロッド１上より十分に塗布し５〜１０分間放置後、再び塗布し５分間くらいそのままに放置する。
（９）第２パーマネント液塗布後、時間が経過し、酸化作用が終わったならば、パーマネント用ロッド１を外し、微温湯で頭髪を十分にゆすぎ、リンス仕上げ後、セットをする。
【００３７】
以上のように本実施の形態のパーマネント用ロッドは構成されているので、以下の作用を有する。
１）ロッド部が熱可塑性エラストマーや加硫ゴム等の合成ゴム、軟質合成樹脂の低発泡体からなる弾性中空体で形成されているので、摩擦係数が大きく頭髪をしっかりと捕らえてロッド部に巻き付けることができる。
２）頭髪の復元力で従来品のパーマネント用ロッドが戻りカールが崩れ易いが、弾性中空体が低発泡体なのでその弾性力により頭髪の復元力を吸収しカールが崩れるのを防止できる。
３）ロッド部が低発泡体で形成されているので、頭髪を巻き付けても適度に歪むだけで形よくカールできる。また、熱可塑性エラストマーの弾力性と低発泡による弾性で復元性を有し、パーマネント用ロッドの形崩れを防ぎ耐久性を高める。
４）ロッド部が表面にスキン層を有し、かつ発泡が独立気泡なので、使用中にパーマネント液のロッド部内への浸入を防ぎパーマネント用ロッドが重くなることがなく、またパーマネント液中の酸化剤によって発泡体のセルが酸化されて脆くなるのを防止でき耐久性を高める。
５）スキン層の摩擦係数が大きく、かつスキン層の表面には顕微鏡で確認できる程度の微細な縦皺を有するので巻き付け時に頭髪を捕らえ易く巻き付け作業の作業性を向上させる。
６）また、水洗時にもロッド部の独立気泡によりパーマネント用ロッドが洗浄水上に浮くので、パーマネント用ロッドとパーマネント用ペーパーの分離が容易で、かつ頭髪の洗浄を容易に行うことができる。
７）ロッド部の中空部に挿着される芯材は径が該中空部の径よりも２〜２０％程度大きくしているので、ロッド部のＥＰＤＭがスキン層と芯材により圧縮され硬化されるので頭髪がロッド部の壁面に沈み込むのを防止できる。
８）ロッド部が低発泡体で内部に中空の芯材が挿着されているので、軽量で水洗時に洗浄水に浮きパーマネント用ロッドとパーマネント用ペーパーを容易に分離できる。
９）キャップ部のロッド部嵌合部側が、開口端から蓋部に向けて肉厚を厚くした傾斜壁で形成しているので、ロッド部をキャップ部の筒部内に容易に嵌合でき生産性を高める。
【００３８】
（実施の形態２）
図５は本発明の実施の形態２におけるパーマネント用ロッドの横断面図であり、図６は実施の形態２におけるパーマネント用ロッドのキャップ部の要部断面図である。
図５，図６において、２ａはゴム止め部４ａ側の傾斜角度αが２〜３°、ロッド部側の傾斜角度βが７°±１°に形成されたキャップ部、４ａは凹凸部の各端部が丸みをもって形成されたゴム止め部、２０ａは実施の形態２のキャップ部、２１は外嵌部５の内側と蓋部３との間に１以上突設されたフィン、２２は蓋部３のロッド部嵌合側の中央部に管状に形成された突部である。実施の形態１と同様なものは同一の符号を付し説明を省略する。
７ａは略中空円筒状や六角形、八角形等の筒状に形成されたポリオレフィン系熱可塑性エラストマー（ＴＰＯ）やポリプロピレン−ＥＰＤＭ系の動的加硫型熱可塑エラストマー（ＴＰＶ）、合成ゴムで発泡倍率が１．４５倍に押出成形されたロッド部６の弾性中空体、８ａは弾性中空体７ａの表面に形成された厚さが２０μｍ〜４０μｍのスキン層、９ａは弾性中空体７の断面中央に形成された中空部に挿着固定されたポリエチレンやポリプロピレン、ポリスチレン等のポリオレフィン、ＰＥＴ等のポリエステル、ポリアミド等の熱可塑性合成樹脂で形成された管状体からなる芯材である。
ここで、芯材９ａはロッド部６の弾性中空体７ａの中空部の径よりも１．５〜２０％大きくかつロッド部６の断面径の２／３〜１／４に形成されているが、芯材９ａの外径と弾性中空体７ａの内径が等しい場合であっても構わない。この場合、弾性中空体７ａは硬質かつ高弾性力を有するものが望ましい。
【００３９】
また、弾性中空体７ａの中空部に芯材９ａを挿着固定する方法は、全面圧着、部分圧着、点圧着のいずれであっても構わない。また、接着剤は、エチレン−酢酸ビニル共重合体や塩化ビニル−酢酸ビニル共重合体、エポキシ樹脂、ポリウレタン、ポリプロピレン、ニトリルゴム、シアノアクリレート等が好適に使用される。
芯材９ａの形状は、管状体、棒状体、平板等、特に限定されるものではない。芯材９ａの断面形状は、円形、楕円形や三角形、正方形、六角形、八角形等の多角形、螺旋形、星形、螺子形等、特に限定されるものではない。また、弾性中空体７ａの中空部と異なった断面形状の芯材９ａを使用すると、芯材９ａと弾性中空体７ａの接触面に反発力が働き、この反発力でロッド部６に毛束を容易にとらえることができるとともに、弾性中空体７ａと芯材９ａの圧着面積が小さくなり、芯材９ａを中空部に挿入し易くなる。
更に、スキン層８ａは１層あるいは２層で形成される。２層で形成されると、強度が増加し、パーマネント液の内部への浸入を防止することができる。
【００４０】
以上のように本実施の形態のパーマネント用ロッドは構成されているので、実施の形態１による作用に加え、以下の作用を有する。
１）キャップ部の蓋部に芯材を嵌合する突部を有するので、チャップ部とロッド部を強固に結合して一体化でき、ロッド部とキャップ部との滑りを防止することができる．
２）ロッド部の端部からパーマネント液や洗浄液がロッド部内に浸入し、ロッド部が含水するのを防止することができ、軽量化を維持できるとともに、衛生性や安全性を向上させることができる．
３）キャップ部をロッド部に嵌合させるだけで、芯材の挿着を終えることができ、生産性を向上させることが可能となる．
４）芯材の断面径や断面形状を変えることにより、大きさの異なるパーマネント用ロッドを適宜製作することが可能であり、所望するカール、ヘアーウェーブを作ることができる。
５）実施の形態１による作用に加え、キャップ部２０ａをロッド部に外嵌すると同時にフィン２１がロッド部の弾性中空体中に切り込み挿着されるので、ロッド部とキャップ部の一体化を促進しキャップ部、若しくはロッド部が施術中に回転するのを防止できる。また、突部２２が芯材２２に嵌着されるので、キャップ部２０ａとロッド部６との接合をより強固に一体化できる。更に、ゴム止め部４ａの凹凸部の端部が丸みを帯びているので、ゴムの脱着やゴムが凹部の端部に固定されるので、作業性を高めることができる。
６）キャップ部の中央部付近がロッド部よりも大きく形成され、かつゴム止め部側及びロッド部嵌合側が傾斜しているので、キャップ部が持ち易く、かつ輪ゴムを掛け易くすることができるとともに、キャップ部の中央部がロッド部の径よりも大きいので毛束との接触抵抗を小さくできキャップ部でロッドを回転させ易い。
【００４１】
（実施の形態３）
図７は本発明の実施の形態３におけるパーマネント用ロッドのロッド部の要部断面図である。
実施の形態３のキャップ部２０ｂが、実施の形態２のキャップ部と異なる点は蓋部３のロッド部側の中央に略１／２の長さに形成された芯材２３が立設されている点である。芯材２３は、中空の芯材２３ａと中実の芯材２３ｂとで形成され、中央部で芯材２３の芯材２３ｂの凸部２３ｃが芯材２３ａの中空部に嵌合されている。
これにより、実施の形態１による作用に加え、ロッド部の両端にキャップ部２０ｂを外嵌するだけで、芯材も同時に挿着でき、芯材の挿着工程が省略でき生産性を著しく向上できる。
【００４２】
（実施の形態４）
図８は本発明の実施の形態４におけるパーマネント用ロッドの斜視図であり、図９は本発明の実施の形態４におけるパーマネント用ロッドのキャップ部の要部側面図である。
３はキャップ蓋部、４はゴム止部、６はロッド部、８はスキン層であり、これらは実施の形態１と同様なものなので同一の符号を付し説明を省略する。
３１は実施の形態４のパーマネント用ロッド、３２はゴム止部４側の径が大きくロッド部６側の径が小さく形成された実施の形態４のパーマネント用ロッド３１のキャップ部、３３はキャップ部３２のキャップ蓋部３の周壁部に形成されたローレット切りや凹凸部等からなる毛巻時に指が滑るのを防止する滑り防止部、３４は外周壁がロッド部６側に向けて小さくなるように傾斜して形成された外嵌部、３５は外嵌部３４の外周に外嵌部３４の長さ方向に平行に形成された指の滑り止め防止用の凹部、３６はキャップ部３２のキャップ蓋部３とゴム止部４の間に等間隔で２以上形成されたシングルピンやアメリカピン等のピンを挿入する挿入孔、３６ａは挿入孔３６のゴム止部４側の中央に凸状に形成されたシングルピン案内部である。
【００４３】
以上のように実施の形態４のパーマネント用ロッドは構成されているので、実施の形態１で得られる作用の他、以下の作用を有する。
キャップ部にローレット切り等の滑り防止部や外嵌部に凹部を有しているので、施術中に指が滑るのを防ぎ施術時の作業性を著しく向上させることができる。キャップ部のキャップ蓋部とゴム止部の間にシングルピンの挿入孔を備えているので、毛束を巻いたパーマネント用ロッドの挿入孔間にシングルピンを挿し込むことによりパーマネント用ロッドを頭部の地肌に対し直角状にパーマネント用ロッドを立てることができる。その結果、従来のパーマネント用ロッドはスパイラルカールが不可能であったが、一つのパーマネント用ロッドで挿入孔にシングルピン等を挿着するだけでスパイラルカールを行うことができる。
ピン案内部を備えているので、毛束で挿入孔が隠れていても容易にピンを挿入することができる。
【００４４】
（実施の形態５）
図１０は本発明の実施の形態５におけるパーマネント用ロッドの縦断面図である。
図中、３７は弾性中空体７の外表面に長さ方向に平行に１００μｍ±１０μｍの深さに切り込まれて形成された断面Ｖ字状の凹部である。
実施の形態５のパーマネント用ロッドが、実施の形態１と異なる点は弾性中空体７の外表面に凹部が形成されている点である。
これにより、実施の形態１による作用に加え、パーマネント液をパーマネント用ロッド表面に留めることができ、毛髪への浸透、定着を促すことができ、よって、均一なカール、ヘアーウェーブが形成可能である。
また、巻き付け作業中、手先の滑り止め効果を発揮し、巻き付け作業性を向上させることができる。
【００４５】
【発明の効果】
以上のように、本発明によれば以下の優れた効果を奏することができる。
請求項１に記載の発明によれば、
ａ．ロッド部の表面にスキン層を有するので、パーマネント液や洗浄液がロッド内部に浸入するのを防止でき、施術中にパーマネント液でパーマネント用ロッドが重くなり被施術者の毛元を傷めるのを防ぎ安全性に優れる。
ｂ．キャップ部をロッド部の両端に備えているので、ロッド部の両端がつぶれたりねじれたりすることを防ぐので施術作業の作業性を向上させることができる。
ｃ．キャップ部の蓋部がロッド部の低発泡した弾性中空体や芯材の端部を密閉するので、パーマネント液や洗浄液が浸入し、ロッド部が含水するのを防止するので軽量化を維持することができるとともに衛生性や安全性を向上させることができる。
ｄ．洗浄水がロッド部の内部に浸入しないので施術終了後、パーマネント用ロッドを洗浄するだけでアカや洗浄液を洗い落とすことができるので衛生性に優れる。また、風乾により簡単に乾くので、パーマネント用ロッドの回転率を高めることがき、その分パーマネント用ロッドのストックを少なく済ますことができ経済性に優れる。
ｅ．パーマネント用ロッドが低発泡の弾性中空体と中空の芯材で形成されているので軽量で、被施術者の頭部に多くのパーマネント用ロッドを施しても頭が重くなるのを防止できる。
ｆ．毛元まで巻き付けても重量感等の違和感を与えるのを防ぐことができ、被施術者に快適感を与え苦痛を防止できる。
ｇ．ロッド部に中空の芯材が挿着されているので、パーマネント用ロッドが折れ曲がったり中央部がへこんだりすることなく、均一の弾性と硬度を有しているので、施術者は安心して頭髪を巻き付けることができ施術作業の作業性を向上させることができる。
ｈ．ロッド部が低発泡の弾性中空体でかつ厚みを有しているので頭髪を巻き始めると同時に頭髪の毛束をとらえることが出来、なおかつ厚みとやわらかさがある為、巻き付けた頭髪の束に対し反発力が強く生じ径の大きなパーマネント用ロッドでも毛先からしっかりしたウェーブ（カール）を作ることが出来、施術性を著しく向上させることができる。
ｉ．ロッド部が低発泡の弾性中空体なので、頭髪を引っ張った力がロッド部で吸収されるので、お客様の毛根や地肌に負担を与えるのを防ぎ、負担を与えないことで地肌に炎症を起こすこともなく、安全性に優れる。
ｊ．頭髪の毛束を厚く取っても毛束を巻き始めると同時に大きな静摩擦抵抗が得られるとともに、内部の芯材による圧迫力で強い反発力が得られ、この反発力でロッド部に毛束を容易にとらえることが出来、非常に巻き付けやすくし、頭に巻くカーラーロッドの使用本数が少なくて済み合理化することができる。
ｋ．ロッド部に芯材が挿着されているので、パーマネント用ロッドが折れ曲がったり中央部がへこんだりすることなく、均一の弾性と硬度を有しているので、施術者は安心して頭髪を巻き付けることができ施術性を高めることができる。
ｌ．パーマネント用ロッドが弾性を有しているので、該ロッドを毛元まで巻き付けて輪ゴムで該ロッドに固定しても地肌を痛めず、更に被施術者に痛感を与えるのを防ぎ安全性や施術性に優れる。
【００４６】
請求項２に記載の発明によれば、請求項１に記載の発明の効果に加え、
ａ．弾力性と反発力に優れ巻き付け作業の作業性を著しく向上できる。
ｂ．ロッド部の合成ゴムによる弾性と、芯材により内側から合成ゴムを圧迫する反発力による圧縮力により厚い毛束や短い髪、硬い髪にもロッド部の中央部がたわんだりすることなく均一に巻き付けることができ施術性に優れる。
ｃ．中央部の芯材と発泡セルにより適度の剛性を有しているので頭髪がロッド部になじみ目的のパーマネントウェーブに仕上げることができ仕上り性を向上させるともに施術性に優れる。
【００４７】
請求項３に記載の発明によれば、請求項１又は２に記載の発明の効果に加え、
ａ．熱可塑性エラストマーが機械的強度と耐薬品性に優れているので、耐久性を向上させることができる。
ｂ．耐薬品性に優れるので、パーマネント液による経時変化がなく耐久性を著しく向上させることができる。
ｃ．ロッド部が低発泡の熱可塑性エラストマーなので、施術の際、頭髪を引っ張った力がロッド部で吸収されるので、お客様の毛根や地肌に負担を与えるのを防ぎ、負担を与えないことで地肌に炎症を起こすこともなく、安全性を高めることができる。
ｄ．パーマネント用ロッドが低発泡の熱可塑性エラストマーと中空の芯材で形成されている場合は軽量で、被施術者の頭部に多くのパーマネント用ロッドを施しても頭が重くなるのを防止できる。また、毛元まで巻き付けても重量感等の違和感を与えるのを防ぐことができ、施術性を向上させることができる。
【００４８】
請求項４に記載の発明によれば、請求項１乃至３に記載の発明の効果に加え、
ａ．キャップ部の外嵌部内部にフィン部を備えているためキャップ部とロッド部の一体化を強固にロッド部とキャップ部との滑りを防止し、施術性を向上させることができる。
【００４９】
請求項５に記載の発明によれば、請求項１乃至４に記載の発明の効果に加え、
ａ．表面にスキン層を有するのでロッド部の表面が滑らかで、頭髪からパーマネント用ロッドを巻き戻す際に頭髪を引っかけたりして切断することなく、スムーズに巻き戻し作業を行うことができるとともに、被施術者に頭髪の切断や抜け毛による苦痛を与えるのを防ぎ、施術性に優れる。
ｂ．スキン層の表面には成形時の収縮による微細な縦皺が形成されるので、この縦皺により頭髪のキューティクルがひっかかるので頭髪の巻き付け易さを向上させ作業性を高めることができる。
【００５０】
請求項６に記載の発明によれば、請求項１乃至５に記載の発明の効果に加え、
ａ．施術に当たって最適の弾力性をロッド部に与えることができ、頭髪の復元力を吸収できるので、割け取った毛束の厚さが厚くなっても頭髪の巻き付け作業に支障をきたすことがなく作業性を高めるとともに巻き付けるパーマネント用ロッドの本数も少なくなるので施術工数を大幅に削減でき、施術中の頭髪の巻き付け作業の作業性を向上できるという作用を有する。
ｂ．発泡セルが独立気泡なので、万一スキン層が頭髪で切れて破損してもパーマネント液や洗浄液がロッド部中に浸入するのを防ぎ耐久性を向上させることができる。
ｃ．ショア硬度が２０°〜８０°、好ましくは２０°〜５５°なので巻き付けた頭髪に適度の反発力を与え、ロッド部に頭髪を巻き付けて固定し易く、その結果所望するカールやヘアーウェーブに容易に仕上げることができ仕上げ性を向上できる。
【００５１】
請求項７に記載の発明によれば、請求項１乃至６に記載の発明の効果に加え、
ａ．管状体の芯材が挿着されている場合は、耐剪断応力に優れロッド部が中央部でへこんだりするのを防ぎ作業性を向上させることができる。
ｂ．芯材の断面径がロッドの断面径の５／７〜１／５好ましくは２／３〜１／４に形成されているので、パーマネント用ロッドの重量を軽くでき、またロッド部の発泡体に内部から圧縮力を与えスキン層と相まって施術時の最適の硬度を出すことができ施術性を向上させることができる。
ｃ．芯材の管状体の外径がロッド部の中空部の径よりも２〜２０％大きく形成されているので、弾性中空体に芯材を挿着するだけで芯材を弾性中空体に固定でき少ない工数で、かつ、接着剤を要しないので低原価で生産でき生産性に優れる。
ｄ．芯材としてポリエチレンやポリプロピレンの中空管状物を用いた場合は、芯材の比重が１以下なので軽く、洗浄時にその浮力により水に浮いて作業性を向上させるとともに、また被施術者（お客様）の頭皮に負担を与えるのを防ぎ、施術性に優れる。
【００５２】
請求項８に記載の発明によれば、請求項１乃至６の発明の効果に加え、
ａ．キャップ部の蓋部に芯材を嵌合する突部を有するので、チャップ部とロッド部の一体化を強固に結合し、ロッド部とキャップ部との滑りを防止することができ施術作業の作業性を高めることができる。
ｂ．ロッド部の端部からパーマネント液や洗浄液がロッド部内に浸入し、ロッド部が含水するのを防止することができ、軽量化を維持できるとともに、衛生性や安全性を向上させることができる。
ｃ．巻き付け作業中ロッド部に大きな力が加わっても、キャップ部がロッド部から脱落することがなく、強度に極めて優れ耐久性を向上できる。
ｄ．ロッド部の両端にキャップ部を備えているので、ロッド部の両端がつぶれたりねじれたりすることを防ぐので、施術作業性を向上させことができる。
ｅ．ロッド部が弾性中空体で形成されているので、適度な弾性と表面のフィット感が得られ、指先に適度な滑り止め効果を発揮するとともに、パーマネント用ロッドが毛髪に自然に柔らかくフィットして、容易に毛髪をパーマネント用ロッドに巻き付けることが可能である。
ｆ．パーマネント用ロッドが毛髪に接触しても切れ毛や抜け毛を生じることがなく、毛髪の損傷を防止することができる。
ｇ．ロッド部が弾性中空体で形成されているので、落下させても破損しにくく耐久性に優れる。
ｈ．構造が簡易であるため、製造コストの低減を図ることができ、経済性に優れる。
ｉ．キャップ部内の突部に芯材を外嵌又は内嵌で嵌合することにより、キャップ部と芯材との一体化が強固になり耐久性を向上させることができる。
【００５３】
請求項９に記載の発明によれば、請求項１乃至１０の内いずれか１に記載の発明の効果に加え、
ａ．キャップ部にローレット切り等の滑り防止部や外嵌部に凹部を有しているので、施術中に指が滑るのを防ぎ施術時の作業性を著しく向上させることができる。
ｂ．キャップ部のキャップ蓋部とゴム止部の間にシングルピンの挿入孔を備えているので、毛束を巻いたパーマネント用ロッドの挿入孔間にシングルピンを挿し込むことによりパーマネント用ロッドを頭部の地肌に対し直角状にパーマネント用ロッドを立てることができる。その結果、従来のパーマネント用ロッドはスパイラルカールが不可能であったが、一つのパーマネント用ロッドで挿入孔にシングルピンを挿着するだけでスパイラルカールを行うことができ、汎用性を高めることができる。
【００５４】
請求項１０に記載の発明によれば、請求項１乃至９に記載の発明の効果に加え、
ａ．弾性中空体の外表面の凹部が滑り止め効果を発揮し、毛髪の巻き付け作業性を向上させることができる。
ｂ．凹部にパーマネント液が留まり、パーマネント液の毛髪への浸透・定着を高めることができ、均一なパーマネントウェーブが形成され、パーマネントの品質を高めることができる。
【図面の簡単な説明】
【図１】本発明の実施の形態１におけるパーマネント用ロッドの斜視図
【図２】（ａ）図１のＡ−Ａ線の断面図
（ｂ）図１のＢ−Ｂ線の断面図
【図３】本発明の実施の形態１におけるパーマネント用ロッドの使用状態を示す状態図
【図４】本発明の実施の形態１におけるパーマネント用ロッド巻き付け時の状態図
【図５】本発明の実施の形態２におけるパーマネント用ロッドの横断面図
【図６】本発明の実施の形態２におけるパーマネント用ロッドのキャップ部の要部断面図
【図７】本発明の実施の形態３におけるパーマネント用ロッドのキャップ部の要部断面図
【図８】本発明の実施の形態４におけるパーマネント用ロッドの斜視図
【図９】本発明の実施の形態４におけるパーマネント用ロッドのキャップ部の要部側面図
【図１０】本発明の実施の形態５におけるパーマネント用ロッドのロッド部の縦断面図
【符号の説明】
１  パーマネント用ロッド
２  キャップ部
３  蓋部
４  ゴム止め部
５  外嵌部
６  ロッド部
７，７ａ  弾性中空体
８，８ａ  スキン層
９，９ａ  芯材
１０  パーマネント用ペーパー
１１  毛束
１１ａ  毛元
１２  輪ゴム
２０ａ  キャップ部
２０ｂ  キャップ部
２１  フィン
２３  芯材
２２  突部
３１  実施の形態４のパーマネント用ロッド
３２  キャップ部
３３  滑り防止部
３４  外嵌部
３５  凹部
３６  挿入孔
３６ａ  シングルピン案内部
３７  凹部
【図１】
0003665228.tif 000002
【図２】
0003665228.tif 000003
【図３】
0003665228.tif 000004
【図４】
0003665228.tif 000005
【図５】
0003665228.tif 000006
【図６】
0003665228.tif 000007
【図７】
0003665228.tif 000008
【図８】
0003665228.tif 000009
【図９】
0003665228.tif 000010
【図１０】
0003665228.tif 000011